(57)【要約】【課題】表示したオブジェクトのうち、ユーザの誤操作を招きやすいオブジェクトを拡大表示させる。【解決手段】表示装置１０は、表示面１４１に画像を表示するとともに、指Ｆを表示面１４１に非接触により近接させて行う近接操作、及び、表示面１４１に指Ｆを接触させて行接触操作を検出可能である。表示装置１０は、選択可能なオブジェクト（ソフトボタンなど）を含む画像を表示面１４１に表示させ、オブジェクトを指示する近接操作を検出した場合に、このオブジェクトのサイズが閾値未満であるときには、このオブジェクトを拡大表示させる（図７（ｂ）のオブジェクトｂ２Ｍ）。一方で、表示装置１０は、近接操作を検出したオブジェクトのサイズが閾値以上であるときには、このオブジェクトを拡大表示させない（図７（ａ）のオブジェクトｂ２）。【選択図】図７
2014016948.tif 000002
【特許請求の範囲】
【請求項１】
表示面に画像を表示する表示部と、
指示体を前記表示面に非接触により近接させて行う第１操作、及び、前記第１操作よりも前記指示体を前記表示面に近接させて行う第２操作をそれぞれ検出する操作検出部と、
選択可能なオブジェクトを含む画像を前記表示面に表示させ、前記オブジェクトを指示する前記第１操作が前記操作検出部により検出された場合に、当該オブジェクトのサイズが閾値未満であるときには、当該オブジェクトを拡大表示させる表示制御部と、
前記表示面に表示されたオブジェクトを指示する前記第２操作が前記操作検出部により検出されると、当該オブジェクトを、ユーザの選択オブジェクトとして特定する選択オブジェクト特定部と
を備えることを特徴とするユーザインタフェース装置。
【請求項２】
前記第１操作で指示されたオブジェクトと、前記表示面に表示された他のオブジェクトとの配置関係を特定する配置関係特定部を備え、
前記表示制御部は、
前記配置関係特定部により特定された配置関係が特定条件を満たした場合に、前記第１操作で指示されたオブジェクトを拡大表示させる
ことを特徴とする請求項１に記載のユーザインタフェース装置。
【請求項３】
表示面に画像を表示する表示部と、
指示体を前記表示面に非接触により近接させて行う第１操作、及び、前記第１操作よりも前記指示体を前記表示面に近接させて行う第２操作をそれぞれ検出する操作検出部と、
選択可能なオブジェクトを含む画像を前記表示面に表示させる表示制御部と、
前記オブジェクトを指示する前記第１操作が前記操作検出部により検出された場合に、当該オブジェクトと、前記表示面に表示された他のオブジェクトとの配置関係を特定する配置関係特定部と、
前記表示面に表示されたオブジェクトを指示する前記第２操作が前記操作検出部により検出されると、当該オブジェクトを、ユーザの選択オブジェクトとして特定する選択オブジェクト特定部と
を備え、
前記表示制御部は、前記配置関係特定部により特定された配置関係が特定条件を満たした場合には、前記第１操作で指示されたオブジェクトを拡大表示させる
ことを特徴とするユーザインタフェース装置。
【請求項４】
前記表示制御部は、
前記第１操作で指示されたオブジェクトの位置から、所定範囲内に前記他のオブジェクトが配置されていることを、前記特定条件とする
ことを特徴とする請求項２又は３に記載のユーザインタフェース装置。
【請求項５】
前記第１操作における前記指示体の移動の軌跡を特定する軌跡特定部を備え、
前記表示制御部は、
前記軌跡特定部により特定された軌跡と前記配置関係とに基づく前記特定条件を満たした場合に、前記第１操作で指示されたオブジェクトを拡大表示させる
ことを特徴とする請求項２から４のいずれか１項に記載のユーザインタフェース装置。
【請求項６】
前記表示制御部は、
前記第１操作で指示されたオブジェクトの位置から、前記指示体の移動方向の反対方向に位置する領域に前記他のオブジェクトが配置されていることを、前記特定条件とする
ことを特徴とする請求項５に記載のユーザインタフェース装置。
【請求項７】
画像が表示される表示面に指示体を前記表示面に非接触により近接させて行う第１操作、及び、前記第１操作よりも前記指示体を前記表示面に近接させて行う第２操作をそれぞれ検出する操作検出ステップと、
選択可能なオブジェクトを含む画像を前記表示面に表示させ、前記オブジェクトを指示する前記第１操作が前記操作検出ステップで検出された場合に、当該オブジェクトのサイズが閾値未満であるときには、当該オブジェクトを拡大表示させる表示制御ステップと、
前記表示面に表示されたオブジェクトを指示する前記第２操作が前記操作検出ステップで検出されると、当該オブジェクトを、ユーザの選択オブジェクトとして特定する選択オブジェクト特定ステップと
を有するユーザインタフェース方法。
【請求項８】
画像が表示される表示面に指示体を前記表示面に非接触により近接させて行う第１操作、及び、前記第１操作よりも前記指示体を前記表示面に近接させて行う第２操作をそれぞれ検出する操作検出ステップと、
選択可能なオブジェクトを含む画像を前記表示面に表示させる表示制御ステップと、
前記オブジェクトを指示する前記第１操作が前記操作検出ステップで検出された場合に、当該オブジェクトと、前記表示面に表示された他のオブジェクトとの配置関係を特定する配置関係特定ステップと、
前記表示面に表示されたオブジェクトを指示する前記第２操作が前記操作検出ステップで検出されると、当該オブジェクトを、ユーザの選択オブジェクトとして特定する選択オブジェクト特定ステップと
を有し、
前記表示制御ステップにおいて、前記配置関係特定ステップで特定された配置関係が特定条件を満たした場合には、前記第１操作で指示されたオブジェクトを拡大表示させるユーザインタフェース方法。
【請求項９】
表示面に画像を表示する表示装置のコンピュータに、
前記表示面に指示体を前記表示面に非接触により近接させて行う第１操作、及び、前記第１操作よりも前記指示体を前記表示面に近接させて行う第２操作をそれぞれ検出する操作検出ステップと、
選択可能なオブジェクトを含む画像を前記表示面に表示させ、前記オブジェクトを指示する前記第１操作が前記操作検出ステップで検出された場合に、当該オブジェクトのサイズが閾値未満であるときには、当該オブジェクトを拡大表示させる表示制御ステップと、
前記表示面に表示されたオブジェクトを指示する前記第２操作が前記操作検出ステップで検出されると、当該オブジェクトを、ユーザの選択オブジェクトとして特定する選択オブジェクト特定ステップと
を実行させるためのプログラム。
【請求項１０】
表示面に画像を表示する表示装置のコンピュータに、
前記表示面に指示体を非接触により近接させて行う第１操作、及び、前記第１操作よりも前記指示体を前記表示面に近接させて行う第２操作をそれぞれ検出する操作検出ステップと、
選択可能なオブジェクトを含む画像を前記表示面に表示させる表示制御ステップと、
前記オブジェクトを指示する前記第１操作が前記操作検出ステップで検出された場合に、当該オブジェクトと、前記表示面に表示された他のオブジェクトとの配置関係を特定する配置関係特定ステップと、
前記表示面に表示されたオブジェクトを指示する前記第２操作が前記操作検出ステップで検出されると、当該オブジェクトを、ユーザの選択オブジェクトとして特定する選択オブジェクト特定ステップと
を実行させ、
前記表示制御ステップにおいて、前記配置関係特定ステップで特定された配置関係が特定条件を満たした場合には、前記第１操作で指示されたオブジェクトを拡大表示させるためのプログラム。
【発明の詳細な説明】
【技術分野】
【０００１】
本発明は、ユーザインタフェースのオブジェクトの表示制御に関する。
【背景技術】
【０００２】
スマートフォンやタブレット端末などの表示装置には、選択可能なオブジェクト（例えば、アイコン画像などの操作アイテム）を表示し、ユーザが選択した選択オブジェクトに対応した機能を利用させるユーザインタフェースを備えたものがある。特許文献１，２は、この種のユーザインタフェースで、ユーザがオブジェクトを選択する際の誤操作を防ぐための技術を開示している。特許文献１は、タッチパネルへの指の接近を検出した場合に、この検出位置付近に配置されたキーを拡大表示することを開示している。特許文献２は、拡大表示の対象とする表示対象部品を予め登録しておき、登録しておいた表示対象部品への指の接近を検知すると、この表示対象部品を拡大表示することを開示している。
【先行技術文献】
【特許文献】
【０００３】
【特許文献１】特開２００６−５９２３８号公報
【特許文献２】特開２００９−３８６７号公報
【発明の概要】
【発明が解決しようとする課題】
【０００４】
ところで、特許文献１に記載の発明では、ユーザの指の位置に応じて定まる範囲内の複数キーが一律に拡大表示されるが、この複数キーのすべてがユーザに誤操作されやすいキーであるとは限らない。特許文献２に記載の発明は、事前登録があった表示対象部品を拡大表示するものであるから、必ずしも、ユーザに誤操作されやすい表示対象部品を拡大表示するわけではない。これらの発明では、ユーザの誤操作のおそれが元々少なく、操作性を向上させることにほとんど寄与しないようなオブジェクトについても、拡大表示することがある。
そこで、本発明の目的は、表示したオブジェクトのうち、ユーザの誤操作を招きやすいオブジェクトを拡大表示させることである。
【課題を解決するための手段】
【０００５】
上述した課題を解決するため、本発明のユーザインタフェース装置は、表示面に画像を表示する表示部と、指示体を前記表示面に非接触により近接させて行う第１操作、及び、前記第１操作よりも前記指示体を前記表示面に近接させて行う第２操作をそれぞれ検出する操作検出部と、選択可能なオブジェクトを含む画像を前記表示面に表示させ、前記オブジェクトを指示する前記第１操作が前記操作検出部により検出された場合に、当該オブジェクトのサイズが閾値未満であるときには、当該オブジェクトを拡大表示させる表示制御部と、前記表示面に表示されたオブジェクトを指示する前記第２操作が前記操作検出部により検出されると、当該オブジェクトを、ユーザの選択オブジェクトとして特定する選択オブジェクト特定部とを備えることを特徴とする。
この発明において、前記第１操作で指示されたオブジェクトと、前記表示面に表示された他のオブジェクトとの配置関係を特定する配置関係特定部を備え、前記表示制御部は、前記配置関係特定部により特定された配置関係が特定条件を満たした場合に、前記第１操作で指示されたオブジェクトを拡大表示させるようにしてもよい。
【０００６】
また、本発明のユーザインタフェース装置は、表示面に画像を表示する表示部と、指示体を前記表示面に非接触により近接させて行う第１操作、及び、前記第１操作よりも前記指示体を前記表示面に近接させて行う第２操作をそれぞれ検出する操作検出部と、選択可能なオブジェクトを含む画像を前記表示面に表示させる表示制御部と、前記オブジェクトを指示する前記第１操作が前記操作検出部により検出された場合に、当該オブジェクトと、前記表示面に表示された他のオブジェクトとの配置関係を特定する配置関係特定部と、前記表示面に表示されたオブジェクトを指示する前記第２操作が前記操作検出部により検出されると、当該オブジェクトを、ユーザの選択オブジェクトとして特定する選択オブジェクト特定部とを備え、前記表示制御部は、前記配置関係特定部により特定された配置関係が特定条件を満たした場合には、前記第１操作で指示されたオブジェクトを拡大表示させる。
【０００７】
本発明のユーザインタフェース装置において、前記表示制御部は、前記第１操作で指示されたオブジェクトの位置から、所定範囲内に前記他のオブジェクトが配置されていることを、前記特定条件とするようにしてもよい。
【０００８】
本発明のユーザインタフェース装置において、前記第１操作における前記指示体の移動の軌跡を特定する軌跡特定部を備え、前記表示制御部は、前記軌跡特定部により特定された軌跡と前記配置関係とに基づく前記特定条件を満たした場合に、前記第１操作で指示されたオブジェクトを拡大表示させるようにしてもよい。
【０００９】
本発明のユーザインタフェース装置において、前記表示制御部は、前記第１操作で指示されたオブジェクトの位置から、前記指示体の移動方向の反対方向に位置する領域に前記他のオブジェクトが配置されていることを、前記特定条件とするようにしてもよい。
【００１０】
本発明のユーザインタフェース方法は、画像が表示される表示面に指示体を前記表示面に非接触により近接させて行う第１操作、及び、前記第１操作よりも前記指示体を前記表示面に近接させて行う第２操作をそれぞれ検出する操作検出ステップと、選択可能なオブジェクトを含む画像を前記表示面に表示させ、前記オブジェクトを指示する前記第１操作が前記操作検出ステップで検出された場合に、当該オブジェクトのサイズが閾値未満であるときには、当該オブジェクトを拡大表示させる表示制御ステップと、前記表示面に表示されたオブジェクトを指示する前記第２操作が前記操作検出ステップで検出されると、当該オブジェクトを、ユーザの選択オブジェクトとして特定する選択オブジェクト特定ステップとを有する。
【００１１】
また、本発明のユーザインタフェース方法は、画像が表示される表示面に指示体を前記表示面に非接触により近接させて行う第１操作、及び、前記第１操作よりも前記指示体を前記表示面に近接させて行う第２操作をそれぞれ検出する操作検出ステップと、選択可能なオブジェクトを含む画像を前記表示面に表示させる表示制御ステップと、前記オブジェクトを指示する前記第１操作が前記操作検出ステップで検出された場合に、当該オブジェクトと、前記表示面に表示された他のオブジェクトとの配置関係を特定する配置関係特定ステップと、前記表示面に表示されたオブジェクトを指示する前記第２操作が前記操作検出ステップで検出されると、当該オブジェクトを、ユーザの選択オブジェクトとして特定する選択オブジェクト特定ステップとを有し、前記表示制御ステップにおいて、前記配置関係特定ステップで特定された配置関係が特定条件を満たした場合には、前記第１操作で指示されたオブジェクトを拡大表示させる。
【００１２】
本発明のプログラムは、表示面に画像を表示する表示装置のコンピュータに、前記表示面に指示体を前記表示面に非接触により近接させて行う第１操作、及び、前記第１操作よりも前記指示体を前記表示面に近接させて行う第２操作をそれぞれ検出する操作検出ステップと、選択可能なオブジェクトを含む画像を前記表示面に表示させ、前記オブジェクトを指示する前記第１操作が前記操作検出ステップで検出された場合に、当該オブジェクトのサイズが閾値未満であるときには、当該オブジェクトを拡大表示させる表示制御ステップと、前記表示面に表示されたオブジェクトを指示する前記第２操作が前記操作検出ステップで検出されると、当該オブジェクトを、ユーザの選択オブジェクトとして特定する選択オブジェクト特定ステップとを実行させるためのプログラムである。
【００１３】
また、本発明のプログラムは、表示面に画像を表示する表示装置のコンピュータに、前記表示面に指示体を非接触により近接させて行う第１操作、及び、前記第１操作よりも前記指示体を前記表示面に近接させて行う第２操作をそれぞれ検出する操作検出ステップと、選択可能なオブジェクトを含む画像を前記表示面に表示させる表示制御ステップと、前記オブジェクトを指示する前記第１操作が前記操作検出ステップで検出された場合に、当該オブジェクトと、前記表示面に表示された他のオブジェクトとの配置関係を特定する配置関係特定ステップと、前記表示面に表示されたオブジェクトを指示する前記第２操作が前記操作検出ステップで検出されると、当該オブジェクトを、ユーザの選択オブジェクトとして特定する選択オブジェクト特定ステップとを実行させ、前記表示制御ステップにおいて、前記配置関係特定ステップで特定された配置関係が特定条件を満たした場合には、前記第１操作で指示されたオブジェクトを拡大表示させるためのプログラムである。
【発明の効果】
【００１４】
本発明によれば、表示したオブジェクトのうち、ユーザの誤操作を招きやすいオブジェクトを拡大表示させることができる。
【図面の簡単な説明】
【００１５】
【図１】表示装置のハードウェア構成を示すブロック図。
【図２】近接センサ及び接触センサを用いて特定可能な操作の説明図。
【図３】オブジェクトを含む画面の説明図。
【図４】表示装置の制御部の機能構成を示す機能ブロック図（第１実施形態）。
【図５】表示装置の処理の手順を示すフローチャート（第１実施形態）。
【図６】オブジェクトを含む画面の説明図（近接操作時）。
【図７】オブジェクトを含む画面の説明図（拡大表示後）。
【図８】表示装置の制御部の機能構成を示す機能ブロック図（第２実施形態）。
【図９】表示装置の処理の手順を示すフローチャート（第２実施形態）。
【図１０】参照範囲の説明図（第２実施形態）。
【図１１】オブジェクトを含む画面の説明図（第２実施形態、拡大表示後）。
【図１２】表示装置の制御部の機能構成を示す機能ブロック図（第３実施形態）。
【図１３】表示装置の処理の手順を示すフローチャート（第３実施形態）。
【図１４】オブジェクトを含む画面の説明図（第３実施形態、拡大表示後）。
【図１５】拡大表示の対象となるオブジェクトの位置の説明図（第３実施形態）。
【図１６】接触操作によりオブジェクトを選択するときの様子を表す図。
【図１７】表示装置の制御部の機能構成を示す機能ブロック図（第４実施形態）。
【図１８】オブジェクトを含む画面の説明図（第４実施形態、拡大表示後）。
【図１９】メール作成画面を表す図。
【図２０】オブジェクトを含む画面の説明図（第５実施形態、拡大表示後）。
【図２１】拡大表示の対象となる特定領域の説明図（変形例１）。
【発明を実施するための形態】
【００１６】
以下、図面を参照しつつ本発明の実施形態を説明する。
［第１実施形態］
まず、本発明の第１実施形態を説明する。
図１は、表示装置１０のハードウェア構成を示すブロック図である。図１に示すように、表示装置１０は、制御部１１と、操作部１２と、通信部１３と、表示部１４と、記憶部１５とを備える。
制御部１１は、ＣＰＵ（Central Processing Unit）、ＲＯＭ（Read Only Memory）、及びＲＡＭ（Random Access Memory）を有するマイクロコンピュータを備える。ＣＰＵは、ＲＯＭや記憶部１５に記憶されたプログラムをＲＡＭに読み出して実行することにより、表示装置１０の各部を制御する。通信部１３は、無線通信回路やアンテナを有し、ネットワークに接続して通信するためのインタフェースである。表示部１４は、液晶パネルなどの複数画素を配置した矩形の表示面１４１を有し、表示面１４１に画像を表示する。記憶部１５は、例えばＥＥＰＲＯＭ（Electronically Erasable and Programmable ROM）やフラッシュメモリなどの記憶装置を備え、制御部１１により実行されるプログラムを記憶する。
【００１７】
操作部１２は、近接センサ１２１及び接触センサ１２２を有し、ユーザに操作される操作装置である。近接センサ１２１は、ユーザの指（指先）が表示面１４１に非接触により近接している状態を検出するセンサである。近接センサ１２１は、例えば、静電容量の変化に応じてユーザの指の位置を検出する静電容量型のセンサであるが、赤外光型のセンサ、電磁誘導を利用した高周波発振型、磁石を用いた磁気型のセンサなどを用いてもよく、センサの検出方式は特に問わない。接触センサ１２２は、ユーザの指が表示面１４１に接触している状態を検出するセンサである。接触センサ１２２は、例えば静電容量型のセンサであるが、抵抗膜型や赤外光型のセンサなどを用いてもよく、センサの検出方式は特に問わない。
近接センサ１２１及び接触センサ１２２は、ユーザの指で指示された位置を検出すると、検出した位置を示す位置情報を制御部１１に供給する。ここで、近接センサ１２１及び接触センサ１２２が供給する位置情報を用いて特定可能な操作について説明する。
【００１８】
図２は、近接センサ１２１及び接触センサ１２２が供給する位置情報を用いて特定可能な操作の説明図である。図２（ａ）は、表示装置１０を正面から見た様子を表す図である。図２（ｂ）は、表示装置１０を側面側から見た様子を表す図である。
本実施形態では、図２（ａ）に示すように表示装置１０を正面から見て、表示面１４１の上下方向における位置と、表示面１４１の左右方向における位置と、表示面１４１の法線方向における位置とを表す座標情報によって、近接センサ１２１及び接触センサ１２２の検出位置を示す位置情報を表す。
【００１９】
図２（ｂ）に「検出可能領域」と付して二点鎖線を用いて示した範囲のように、近接センサ１２１は、表示面１４１の法線方向に位置する空間領域を検出可能領域として、ユーザの指Ｆの位置を検出し、検出した位置を示す位置情報を供給する。近接センサ１２１が供給する位置情報によって特定される操作のことを、以下では「近接操作」（第１操作）という。接触センサ１２２は、表示面１４１に接触するユーザの指Ｆの位置を検出して、検出した位置を示す位置情報を供給する。接触センサ１２２が供給する位置情報によって特定される操作のことを、以下では「接触操作」（第２操作）という。接触操作は、近接操作よりも、ユーザの指Ｆを表示面１４１に近接させて行う操作に相当する。
なお、近接センサ１２１及び接触センサ１２２が位置を検出する指示体は、ユーザの指に限らず、スタイラスペンなどのユーザが手に持って動かす指示用の器具であってもよい。また、操作部１２は、ユーザに操作される対象として、物理キーなどの他の操作子を有していてもよい。
【００２０】
以上の構成を有する表示装置１０は、前述の操作部１２及び表示部１４を用いて、ＧＵＩ（Graphical User Interface）と呼ばれるユーザインタフェースを提供する。表示装置１０は、ここではスマートフォンであり、図１に示す構成以外にも、撮影するためのカメラや音声の入出力を行うためのマイクロホン及びスピーカなど、通常のスマートフォンと共通の構成を有している。表示装置１０は、スマートフォン以外の表示装置であってもよく、例えばタブレット型コンピュータや携帯電話機、パーソナルコンピュータ、ＰＤＡ（Personal Digital Assistant）などの、ユーザインタフェースを提供する他の表示装置であってもよい。
次に、表示装置１０が表示面１４１に表示する画面について説明する。
【００２１】
図３は、表示装置１０が表示する画面の説明図である。図３（ａ）は、画面ＳＣ１の説明図である。図３（ｂ）は画面ＳＣ２の説明図である。
図３（ａ）に示す画面ＳＣ１は、アプリケーションのダウンロード画面であり、ダウンロードの開始を、ユーザが表示装置１０に指示するために操作するオブジェクトｂ１を含む。オブジェクトｂ１は、面積がａ１の矩形画像で表されるソフトボタンである。オブジェクトｂ１は比較的大きなサイズの画像で、画面ＳＣ１に唯一含まれるオブジェクトである。よって、画面ＳＣ１において、オブジェクトｂ１の近くには他のオブジェクトは配置されていない。図３（ｂ）に示す画面ＳＣ２は、楽曲データに基づく楽曲再生時に表示される画面であり、楽曲の再生開始をユーザが指示するためのオブジェクトｂ２と、楽曲のスキップをユーザが指示するためのオブジェクトｂ３，ｂ４とを含む。オブジェクトｂ２〜ｂ４は、それぞれ面積がａ２の矩形画像で表されるソフトボタンである。オブジェクトｂ２〜ｂ４は比較的小さなサイズの画像であり、オブジェクトｂ１に比べて小サイズである。また、オブジェクトｂ２〜ｂ４は、画面ＳＣ２において、互いに近い位置に配置されている。図３（ｂ）に「（画像）」と示した領域にはジャケット写真などの画像が表示されるが、ここではオブジェクトに該当しないものとする。
【００２２】
表示面１４１に表示されるオブジェクトは、ユーザがオブジェクトを指示して接触操作することにより選択できるオブジェクトであり、それぞれが表示装置１０で利用可能な機能に対応している。表示装置１０は、ユーザの接触操作によりオブジェクトが選択されると、このオブジェクトを選択オブジェクトとして特定し、選択オブジェクトに応じた処理を実行する。
なお、本実施形態のオブジェクトは、例えばソフトボタンであるが、デスクトップ画面などに配置される、アプリケーションプログラムに対応したアイコン画像や、ハイパーリンクが選択された文字列などであってもよい。このように本実施形態のオブジェクトは、ユーザが選択可能であり、ユーザにより選択されたことを契機に、表示装置１０が選択オブジェクトに応じた特定の処理を行うものであればよい。
次に、表示装置１０におけるユーザインタフェースに関わる機能の構成を説明する。
【００２３】
図４は、表示装置１０の制御部１１の機能構成を示す機能ブロック図である。図４に示すように、表示装置１０の制御部１１は、操作検出部１１１と、表示制御部１１２と、選択オブジェクト特定部１１３と、処理実行部１１４とに相当する機能を実現する。
操作検出部１１１は、ユーザにより表示面１４１に対して行われた近接操作及び接触操作を検出する。操作検出部１１１は、近接センサ１２１から供給された位置情報に基づいて、ユーザの近接操作を検出する。操作検出部１１１は、接触センサ１２２から供給された位置情報に基づいて、ユーザの接触操作を検出する。
【００２４】
操作検出部１１１は、例えば、表示面１４１に表示されたオブジェクトの表示領域内の位置情報と、表示面１４１の水平方向におけるユーザの指の位置を示す位置情報とが一致した場合、この位置情報により特定される近接操作又は接触操作を、オブジェクトを指示する操作として検出する。また、操作検出部１１１は、表示面１４１に表示されたオブジェクトの表示領域内の位置情報と、表示面１４１の水平方向におけるユーザの指の位置を示す位置情報とが一致しなくとも、両位置情報が所定範囲内で一致した場合（例えば、オブジェクトの近傍に指が触れた場合）にも、オブジェクトを指示する操作として検出してもよい。この場合において、操作検出部１１１は、接触操作よりも近接操作の方を、オブジェクトを指示する操作として検出する範囲を広くしてもよい。
【００２５】
表示制御部１１２は、選択可能なオブジェクトを含む画像を表示面１４１に表示させる。表示制御部１１２は、オブジェクトを指示する近接操作が操作検出部１１１により検出された場合に、オブジェクトのサイズが閾値Ｔｈ未満であるときには、このオブジェクトを拡大表示させる。一方で、表示制御部１１２は、オブジェクトを指示する近接操作が操作検出部１１１により検出された場合であっても、オブジェクトのサイズが閾値Ｔｈ以上であるときには、このオブジェクトを拡大表示させない。
なお、オブジェクトのサイズは、ここではオブジェクトの面積（例えば、画素数）によって特定され、ここでは面積ａ２＜Ｔｈ≦面積ａ１の関係を満たすものとする。
【００２６】
選択オブジェクト特定部１１３は、表示面１４１に表示されたオブジェクトを指示する接触操作が操作検出部１１１により検出されると、このオブジェクトを、ユーザの選択オブジェクトとして特定する。選択オブジェクト特定部１１３は、選択オブジェクトを示す情報を処理実行部１１４に供給する。
処理実行部１１４は、選択オブジェクト特定部１１３により特定された選択オブジェクトに応じた処理を実行する。処理実行部１１４は、選択オブジェクトに対応する機能をユーザに利用させるための特定の処理を実行する。
次に、表示装置１０の動作を説明する。
【００２７】
図５は、表示装置１０がユーザインタフェースを提供するときの処理の手順を示すフローチャートである。表示装置１０は、オブジェクトを含む画像を表示面１４１に表示させているときは、以下の処理ステップを繰り返し実行する。以下、表示装置１０が図３に示す画面ＳＣ１，ＳＣ２を表示させた場合の動作例を示しながら、表示装置１０の動作説明を行う。
表示装置１０の制御部１１は、近接センサ１２１から供給された位置情報に基づいて、近接操作を検出したか否かを判断する（ステップＳ１）。ここにおいて、制御部１１は、検出可能領域内の位置を示す位置情報が近接センサ１２１から供給されるまで待機する（ステップＳ１；ＮＯ）。そして、制御部１１は、近接センサ１２１から検出可能領域内の位置情報が供給されると、近接操作を検出したと判断する（ステップＳ１；ＹＥＳ）。
例えば、制御部１１は、図６（ａ）に示すように、指Ｆによる画面ＳＣ１のオブジェクトｂ１を指示する近接操作を検出する。また、制御部１１は、図６（ｂ）に示すように、指Ｆによる画面ＳＣ２のオブジェクトｂ２を指示する近接操作を検出する。
なお、図６及び他の図面において、オブジェクトに付した文字を見やすくするため、指Ｆの位置とオブジェクトの位置とをずらして記載しているが、実際には、オブジェクトのほとんどをユーザの指が覆うことが多い。
【００２８】
次に、制御部１１は、近接操作で指示されたオブジェクトのサイズが閾値Ｔｈ未満であるか否かを判断する（ステップＳ２）。制御部１１は、近接操作で指示されたオブジェクトのサイズ（面積）ＳＺを取得し、取得したサイズＳＺと閾値Ｔｈとを比較する。そして、制御部１１は、サイズＳＺ＜Ｔｈという関係を満たした場合には、ステップＳ２の処理で「ＹＥＳ」と判断する。一方、制御部１１は、サイズＳＺ≧Ｔｈという関係を満たした場合には、ステップＳ２の処理で「ＮＯ」と判断する。
【００２９】
例えば、制御部１１が、図６（ａ）に示すよう画面ＳＣ１のオブジェクトｂ１を指示する近接操作を検出していた場合、オブジェクトのサイズＳＺ（＝面積ａ１）が閾値Ｔｈ以上であると判断し（ステップＳ２；ＮＯ）、ステップＳ４の処理に進む。この場合、図７（ａ）に示すように、制御部１１は、オブジェクトｂ１を指示する近接操作を検出した場合であっても、画面ＳＣ１を変化させることなく表示面１４１に表示させる。
次に、制御部１１は、オブジェクトを指示する接触操作を検出したか否かを判断する（ステップＳ４）。制御部１１は、近接操作を検出してからオブジェクトを指示する接触操作を検出しなければ、ステップＳ４の処理で「ＮＯ」と判断する。次に、制御部１１は、近接操作を検出中であるか否かを判断する（ステップＳ５）。制御部１１は、近接操作を検出中であれば、ステップＳ５の処理で「ＹＥＳ」と判断し、ステップＳ４の処理に戻る。一方、制御部１１は、近接操作を検出しなくなったと判断した場合には（ステップＳ５；ＮＯ）、ステップＳ１の処理に戻る。
【００３０】
ステップＳ４の処理で、制御部１１が、オブジェクトｂ１を指示する接触操作を検出したと判断すると（ステップＳ４；ＹＥＳ）、オブジェクトｂ１を選択オブジェクトとして特定する（ステップＳ６）。そして、制御部１１は、選択オブジェクトに応じた処理を実行する（ステップＳ７）。ここでは、制御部１１は、オブジェクトｂ１に応じた処理として、アプリＡのダウンロードを開始する。
なお、制御部１１が実行する選択オブジェクトに応じた処理はどのようなものでもよい。制御部１１は、例えばＵＲＬ（Uniform Resource Locator）を用いてハイパーリンクが設定されたオブジェクトが選択された場合には、そのＵＲＬに対応したｗｅｂページを表示面１４１に表示させる。また、制御部１１は、ユーザの入力データの送信を指示するためのオブジェクトが接触操作により選択された場合には、そのデータを通信部１３により送信する。
以上が、近接操作で指示されたオブジェクトのサイズが閾値Ｔｈ以上である場合の表示装置１０の動作である。
【００３１】
一方で、制御部１１が、図６（ｂ）に示すようにオブジェクトｂ２を指示する近接操作を検出していた場合、オブジェクトのサイズＳＺ（＝面積ａ２）が閾値Ｔｈ未満であると判断し（ステップＳ２；ＹＥＳ）、ステップＳ３の処理に進む。そして、制御部１１は、近接操作で指示されたオブジェクトを拡大表示させる（ステップＳ３）。この場合、制御部１１は、図７（ｂ）に示すように、近接操作の検出前に比べてオブジェクトｂ２のサイズを大きくしたオブジェクトｂ２Ｍを、表示面１４１に表示させる。ここでは制御部１１は、オブジェクトを上下方向及び左右方向に同じ倍率で拡大して表示させる。
なお、拡大表示されるオブジェクトは、図７（ｂ）に示すように画面の背景部のみに重なるように表示されるとよいが、近接操作が検出されていない他のオブジェクト（例えば、オブジェクトｂ３，ｂ４）に重なるようにして拡大表示されてもよい。また、オブジェクトがアイコン画像などの画像であれば、制御部１１は、同様にしてこの画像を拡大表示させる。オブジェクトが文字列であれば、制御部１１は文字サイズを大きくしたり、文字列を含む文字領域のサイズを大きくしたりするとよい。
【００３２】
そして、制御部１１は、接触操作を検出したか否かを判断する（ステップＳ４）。制御部１１は、近接操作を検出してからオブジェクトを指示する接触操作を検出しなければ、ステップＳ４の処理で「ＮＯ」と判断し、続いて、近接操作を検出中であるか否かを判断する（ステップＳ５）。近接操作を検出中であれば（ステップＳ５；ＹＥＳ）、制御部１１は、オブジェクトの拡大表示を維持してステップＳ４の処理に戻る。一方、制御部１１が、近接操作を検出しなくなったと判断した場合には（ステップＳ５；ＮＯ）、ステップＳ１の処理に戻る。ステップＳ１の処理に戻った場合には、制御部１１は、オブジェクトｂ２の拡大表示（つまり、オブジェクトｂ２Ｍの表示）を終了して、図３（ｂ）に示す画面ＳＣ２の表示に戻す。
以降、制御部１１は、近接操作を検出するたびに、図５に示す処理ステップを実行して、近接操作を検出したオブジェクトのサイズに応じて、そのオブジェクトを拡大表示させたり、拡大表示させずにそのまま表示させたりする表示制御を行う。
【００３３】
以上説明した第１実施形態のように、表示装置１０は、近接操作を検出したオブジェクトについて、そのサイズが閾値未満である場合には、近接操作の検出中にそのオブジェクトを拡大表示させる。一方で、表示装置１０は、サイズが閾値以上であるオブジェクトについては、近接操作を検出してもそのサイズを変更しない。このようにして表示装置１０は、表示したオブジェクトのうちユーザの誤操作を招きやすいオブジェクトを判別し、ユーザの誤操作を抑えるべく、そのオブジェクトを拡大表示させることができる。表示装置１０によれば、ユーザの誤操作のおそれが元々少なく、操作性を向上させることにほとんど寄与しないようなオブジェクトをも拡大表示させることを抑え、表示内容の変化を少なくすることができる。
【００３４】
［第２実施形態］
次に、本発明の第２実施形態を説明する。
上述した第１実施形態では、表示装置１０は、オブジェクトのサイズに応じて拡大表示の要否を判断していたが、この第２実施形態では、表示装置１０は、更に、オブジェクト同士の配置関係を加味して、拡大表示の要否を判断する。
この実施形態の表示装置１０のハードウェア構成は、上述した第１実施形態と同じであるから、ここではその説明を省略する。以下の説明において、上述した第１実施形態と同じハードウェア構成、機能構成及び処理ステップについては同一の符号を付して表し、その説明については適宜省略する。
【００３５】
図８は、表示装置１０の制御部１１の機能構成を示す機能ブロック図である。図８に示すように、表示装置１０の制御部１１は、操作検出部１１１と、表示制御部１１２と、選択オブジェクト特定部１１３と、処理実行部１１４と、配置関係特定部１１５とに相当する機能を実現する。これらのうち、操作検出部１１１、選択オブジェクト特定部１１３及び処理実行部１１４は、上述した第１実施形態と同じ機能を実現するので、ここではその説明を省略する。
配置関係特定部１１５は、近接操作で指示されたオブジェクトと、表示面１４１に表示された他のオブジェクトとの配置関係を特定する。配置関係特定部１１５は、例えば、近接操作で指示されたオブジェクトの位置から所定範囲内に他のオブジェクトがあるか否かを示す配置関係を特定する。
表示制御部１１２は、配置関係特定部１１５により特定された配置関係が特定条件を満たした場合に、近接操作で指示されたサイズが閾値Ｔｈ未満のオブジェクトを拡大表示させる。ここでは、表示制御部１１２は、近接操作で指示されたオブジェクトの位置を基準として、所定範囲（後述の参照範囲）内に他のオブジェクトがある場合に、このオブジェクトを拡大表示させる。
次に、表示装置１０の動作を説明する。
【００３６】
図９は、表示装置１０がユーザインタフェースを提供するときの処理の手順を示すフローチャートである。本実施形態の各処理ステップについて、上述した第１実施形態と同じ符号を付した処理ステップは第１実施形態と同じ処理を行うステップであり、ここではその説明を適宜省略する。表示装置１０は、ユーザが選択可能なオブジェクトを含む画像を表示面１４１に表示させているときは、以下の処理ステップを繰り返し実行する。
【００３７】
表示装置１０の制御部１１は、ステップＳ１の処理で近接操作を検出したと判断し（ステップＳ１；ＹＥＳ）、オブジェクトのサイズが閾値Ｔｈ未満であると判断すると（ステップＳ２；ＹＥＳ）、ステップＳ８の処理に進む。そして、制御部１１は、近接操作で指示されたオブジェクトと、他のオブジェクトとの配置関係を特定する（ステップＳ８）。ここで、制御部１１が図３（ｂ）に示す画面ＳＣ２を表示させていた場合を考える。この場合、制御部１１は、まず、図１０に示すように、近接操作で指示されたオブジェクト（ここでは、オブジェクトｂ２）の位置を基準として、円形の参照範囲Ｔを定める。そして、制御部１１は、参照範囲Ｔに他のオブジェクトが含まれているか否かを判定する。
参照範囲Ｔは、近接操作で指示されたオブジェクトの近傍に他のオブジェクトが配置されているか否かを判断するために、設計段階などで決められた範囲を有している。これにより、ステップＳ８の処理によれば、制御部１１は近接操作で指示されたオブジェクトと、他のオブジェクトとの近接度合いの指標となる配置関係を特定することができる。
【００３８】
次に、制御部１１は、近接操作で指示されたオブジェクトと他のオブジェクトとの配置関係が特定条件を満たすか否かを判断する（ステップＳ９）。ここでは、制御部１１は、ステップＳ８の処理で特定した配置関係において、他のオブジェクト（例えば、オブジェクトの重心）が参照範囲Ｔに含まれているか否かを判断する。制御部１１は、参照範囲Ｔに他のオブジェクトが含まれると判断した場合には（ステップＳ９；ＹＥＳ）、近接操作で指示されたオブジェクトを拡大表示させる（ステップＳ３）。
【００３９】
図１０に示すように、画面ＳＣ２においては、オブジェクトｂ２を基準とした参照範囲Ｔに、他のオブジェクトｂ３，ｂ４が含まれている。よって、制御部１１は、図１１（ａ）に示すように、オブジェクトｂ２を拡大して、オブジェクトｂ２Ｍを表示させる。近接操作で指示されたオブジェクトの付近に他のオブジェクトが配置されると、指Ｆで目的のオブジェクトに触れようとするときに、その付近の他のオブジェクトに誤って触れてしまうおそれがある。これに対し、表示装置１０は、参照範囲Ｔを用いて、このような誤操作のおそれのあるオブジェクトを特定して、オブジェクトを拡大表示させることができる。
【００４０】
一方で、図１１（ｂ）に示す画面ＳＣ２ａのように、オブジェクトｂ２〜ｂ４の互いの距離が比較的大きい場合を仮定すれば、参照範囲Ｔ内にオブジェクトｂ３，ｂ４は含まれない。この場合、サイズＳＺが閾値Ｔｈ未満のオブジェクトｂ２〜ｂ４であっても、他のオブジェクトが近い位置に存在しないので、ユーザが誤操作するおそれは比較的少ないと考えられる。よって、制御部１１は、図１１（ｂ）に示す画面ＳＣ２ａのオブジェクトｂ２については、近接操作で指示されても拡大表示させない。
なお、本実施形態では、参照範囲Ｔを円形の範囲としたが、例えば正方形や長方形、楕円形などの他の形状であってもよいし、必ずしも、近接操作で指示されたオブジェクトの位置を円形範囲の中心に一致させなくてもよい。また、参照範囲Ｔは、オブジェクトの位置から全方向に均一に広がる範囲でなくてもよく、一部の方向に広がる範囲であってもよい。
以降、表示装置１０は、上述した第１実施形態と同じ手順でステップＳ４以降の処理ステップを実行する。
【００４１】
以上説明した第２実施形態の表示装置１０によれば、上述した第１実施形態と同等の作用効果を奏するほか、オブジェクト同士の配置関係を参照して誤操作のおそれを把握して、オブジェクトの拡大表示の要否を判断することができる。これにより、表示装置１０は、上述した第１実施形態の構成に比べて、サイズが小さくとも誤操作のおそれが低いオブジェクトを拡大表示させずに済み、表示内容の変化を少なくすることができる。
【００４２】
［第３実施形態］
次に、本発明の第３実施形態を説明する。
上述した第２実施形態では、表示装置１０は、オブジェクト同士の配置関係を加味して拡大表示の要否を判断していたが、この第３実施形態では、更に、ユーザの指の移動方向を加味して拡大表示の要否を判断する。
この実施形態の表示装置１０のハードウェア構成は、上述した第１，２実施形態と同じであるから、ここではその説明を省略する。以下の説明において、第１，２実施形態と同じハードウェア構成、機能構成及び処理ステップについては同一の符号を付して表し、その説明については適宜省略する。
【００４３】
図１２は、表示装置１０の制御部１１の機能構成を示す機能ブロック図である。図１２に示すように、表示装置１０の制御部１１は、操作検出部１１１と、表示制御部１１２と、選択オブジェクト特定部１１３と、処理実行部１１４と、配置関係特定部１１５と、軌跡特定部１１６とに相当する機能を実現する。これらのうち、操作検出部１１１、選択オブジェクト特定部１１３及び処理実行部１１４は、上述した第１実施形態と同じ機能を実現するので、ここではその説明を省略する。
【００４４】
軌跡特定部１１６は、近接センサ１２１から供給された位置情報に基づいて、指の移動の軌跡を特定する。軌跡特定部１１６は、例えば、近接センサ１２１から供給された複数の位置情報の時系列順を参照することで、指の移動の軌跡を特定する。例えば、軌跡特定部１１６は、近接操作におけるユーザの指の移動方向を特定する。ユーザの指の移動方向は、例えば、表示面１４１の水平成分の方向を意味する。
【００４５】
表示制御部１１２は、軌跡特定部１１６により特定された軌跡と、配置関係特定部１１５により特定された配置関係とに基づく特定条件を満たした場合に、近接操作で指示されたオブジェクトを拡大表示させる。表示制御部１１２は、例えば、参照範囲に他のオブジェクトが含まれ、且つ、近接操作が検出されたオブジェクトの位置から、軌跡特定部１１６により特定された指の移動方向の反対方向に位置する領域に、他のオブジェクトが配置されていることを、特定条件とする。
次に、表示装置１０の動作を説明する。
【００４６】
図１３は、表示装置１０がユーザインタフェースを提供するときの処理の手順を示すフローチャートである。本実施形態の各処理ステップについて、上述した第２実施形態と同じ符号を付した処理ステップは第２実施形態と同じ処理を行うステップであるから、ここではその説明を適宜省略する。表示装置１０は、ユーザが選択可能なオブジェクトを含む画像を表示面１４１に表示させているときは、以下の処理ステップを繰り返し実行する。
【００４７】
表示装置１０の制御部１１は、ステップＳ１の処理で近接操作を検出したと判断し（ステップＳ１；ＹＥＳ）、オブジェクトのサイズが閾値Ｔｈ未満であると判断すると（ステップＳ２；ＹＥＳ）、ステップＳ８の処理に進む。次に、制御部１１は、近接操作で指示されたオブジェクトと、他のオブジェクトとの配置関係を特定する（ステップＳ８）。ここで、制御部１１が、図３（ｂ）に示す画面ＳＣ２を表示させていた場合を考える。この場合も、制御部１１は、近接操作で指示されたオブジェクトの位置を基準として参照範囲Ｔを定めて、上述した第２実施形態と同じ方法で配置関係を特定する。
【００４８】
次に、制御部１１は、近接センサ１２１から取得した複数の位置情報の時系列順に基づいて、ユーザの指の移動方向を特定する（ステップＳ１０）。
次に、制御部１１は、指の移動方向とオブジェクト同士の配置関係とに基づく特定条件を満たすか否かを判断する（ステップＳ１１）。ここでは、制御部１１は、ステップＳ８の処理で定めた参照範囲Ｔに他のオブジェクトが含まれ、且つ、近接操作が検出されたオブジェクトの位置から、指の移動方向の反対方向に他のオブジェクトが配置されているか否かを判断する。例えば、制御部１１は、オブジェクトの位置（例えば、重心）を基準として、指Ｆの移動方向の反対方向に位置する領域に、他のオブジェクト（例えば、オブジェクトの重心）があるか否かを判断する。そして、制御部１１は、参照範囲Ｔに他のオブジェクトが含まれ、指Ｆの移動方向の反対方向に他のオブジェクトがあると判断した場合には（ステップＳ１１；ＹＥＳ）、オブジェクトを拡大表示させる（ステップＳ３）。
【００４９】
図１４（ａ）に示すように、表示装置１０が画面ＳＣ２を表示させていて、図中左から右方向に指Ｆが移動した後、オブジェクトｂ２の近接操作を検出した場合には、オブジェクトｂ２を拡大したオブジェクトｂ２Ｍを表示させる。近接操作が検出されたオブジェクトｂ２の位置を基準として、指Ｆの移動方向の反対方向（破線矢印参照）に他のオブジェクト（ここでは、オブジェクトｂ３）が配置されている場合、ユーザが目的のオブジェクトｂ２を選択する前に、オブジェクトｂ３の上方を通過することがある。この通過の際に指Ｆが表示面１４１に近づきすぎると、オブジェクトｂ３を誤って選択してしまう可能性がある。また、目的のオブジェクトｂ２を選択する際に、指Ｆの移動方向に対して手前側の位置でオブジェクトｂ２を選択すると、オブジェクトｂ２の位置にまで指が接触してしまう可能性もある。このような理由から、近接操作が検出されたオブジェクトの位置から、指の移動方向の反対方向に他のオブジェクトがある場合には、表示装置１０はオブジェクトを拡大表示させる。
【００５０】
一方で、図１４（ｂ）に示すように、近接操作が検出されたオブジェクトｂ２の位置から、指Ｆの移動方向の反対方向（破線矢印参照）に他のオブジェクトがない場合には、ユーザが目的のオブジェクトｂ２を選択する前に、他のオブジェクトの上方を通過する可能性は低い。また、目的のオブジェクトｂ２を選択する際に、指Ｆの移動方向に対して手前側の位置で他のオブジェクトが選択される可能性も低い。このような理由から、近接操作が検出されたオブジェクトの位置を基準として、指の移動方向の反対方向に他のオブジェクトがない場合には、ユーザの誤操作の可能性が低いとして、表示装置１０は近接操作で指示されたオブジェクトを拡大表示させない。
以降、表示装置１０は、上述した第１実施形態と同じ手順でステップＳ４以降の処理ステップを実行する。なお、本実施形態でも、参照範囲Ｔを円形の範囲としなくてもよく、例えば正方形や長方形、楕円形などの他の形状であってもよいし、必ずしも、近接操作で指示されたオブジェクトの位置を円形範囲の中心に一致させなくてもよい。また、参照範囲Ｔは、オブジェクトの位置から全方向に均一に広がる範囲でなくてもよく、一部の方向に広がる範囲であってもよい。
【００５１】
ところで、ステップＳ１１の処理で特定条件を満たすか否かの判定方法については、例えば、以下のような方法を採ることができる。図１５は、拡大表示の対象となるオブジェクトの位置を説明する図である。
図１５（ａ）に示すように、表示装置１０は、指の移動方向を特定すると、各オブジェクト（ここでは、オブジェクトｂを代表させて説明する）の重心Ｇを基準として、指の移動方向の反対方向に角度θ（例えば、０度＜θ＜１８０度）で広がる角度領域Ｔａに、他のオブジェクトが配置されていれば、オブジェクトｂを拡大表示の対象とする。このように表示装置１０は、オブジェクトｂから遠ざかるほど広がる角度領域Ｔａを定めれば、オブジェクトｂを選択する前に上方を通過しやすいオブジェクトの存在を条件として、オブジェクトｂを拡大表示させることができる。また、表示装置１０は、図１５（ｂ）に示すように、指の移動方向を特定すると、オブジェクトｂの重心Ｇを基準として、指の移動方向の反対方向に対する重心Ｇからの距離に関わらず幅が一定である領域Ｔｂに、他のオブジェクトが配置されていれば、オブジェクトｂを拡大表示させてもよい。
なお、ここではオブジェクトの重心Ｇをオブジェクトの位置としているが、オブジェクトの内のどの点をオブジェクトの位置としてもよい。また、表示装置１０は、上記以外の方法で、指の移動の軌跡（移動方向）に応じた領域に他のオブジェクトがある場合に、近接操作で指示されたオブジェクトを拡大表示させてもよい。
【００５２】
以上説明した第３実施形態の表示装置１０によれば、上述した第２実施形態と同等の作用効果を奏するほか、オブジェクト同士の配置関係と指の移動の軌跡とを参照して誤操作の可能性を判断して、オブジェクトの拡大表示の要否を判断するので、上述した第２実施形態に比べて、サイズが小さくとも誤操作の可能性が低いオブジェクトを不要に拡大表示させないで済ませることができる。
【００５３】
［第４実施形態］
次に、本発明の第４実施形態を説明する。
この第４実施形態の表示装置１０は、前述した第２又は第３実施形態の構成に加えて、ユーザによる接触操作の方法に応じて参照範囲を異ならせる構成を有している。以下、本構成を第２実施形態の表示装置１０に適用した場合について説明する。
この実施形態の表示装置１０のハードウェア構成は、上述した第２実施形態と同じであるから、ここではその説明を省略する。以下の説明において、第２実施形態と同じハードウェア構成、機能構成及び処理ステップについては同一の符号を付して表し、その説明については適宜省略する。
【００５４】
図１６は、ユーザが接触操作によりオブジェクトを選択するときの様子を、表示装置１０の側面側から見た様子を表す図である。
例えば図１６（ａ）に示すように、ユーザは、指Ｆと表示面１４１とが成す角度が比較的小さくなるように、指Ｆを表示面１４１に対して或る程度寝かした状態で、接触操作を行うことがある。この接触操作の場合、指Ｆと表示面１４１との接触領域のサイズ（以下、「接触サイズ」といい、ここでは接触面積とする。）は比較的大きい。このときの接触サイズをｃ１とする。一方で、図１６（ｂ）に示すように、ユーザは、指Ｆと表示面１４１とが成す角度が比較的大きくなるように、指Ｆを表示面１４１に対して立てた状態で接触操作を行うことがある。この接触操作の場合、指Ｆと表示面１４１との接触サイズは、図１６（ａ）に示す場合よりも小さい。このときの接触サイズをｃ２（＜ｃ１）とする。
【００５５】
図１６（ａ），（ｂ）に示す接触操作を対比しても明らかなように、ユーザが指Ｆを寝かせて接触操作を行った場合ほど、接触サイズが大きくなりやすく、指Ｆがユーザの目的外のオブジェクトに触れてしまうなどの理由で、ユーザの誤操作も発生しやすいと考えられる。逆に言えば、図１６（ａ）に示すような接触サイズが比較的小さい接触操作が行われた場合、ユーザの誤操作は発生しにくいと考えられる。接触操作の方法は、ユーザの表示装置１０の持ち方や操作時のユーザの癖などによるから、同一ユーザは、同じ方法で接触操作を継続的に行うと予想することもできる。
【００５６】
そこで、表示装置１０は、指Ｆと表示面１４１との接触サイズを普段から蓄積しておき、蓄積しておいた接触サイズが小さいほど参照範囲を小さくする（又は、接触サイズが大きいほど参照範囲を大きくする）ことにより、接触操作の方法に応じて適切な参照範囲を設定する。
次に、表示装置１０におけるユーザインタフェースに関わる機能の構成を説明する。
【００５７】
図１７は、表示装置１０の制御部１１の機能構成を示す機能ブロック図である。図１２に示すように、表示装置１０の制御部１１は、操作検出部１１１と、表示制御部１１２と、選択オブジェクト特定部１１３と、処理実行部１１４と、配置関係特定部１１５とに相当する機能を実現する。これらのうち、操作検出部１１１、表示制御部１１２、選択オブジェクト特定部１１３及び処理実行部１１４は、上述した第１実施形態と同じ機能を実現するので、ここではその説明を省略する。
配置関係特定部１１５は、操作検出部１１１により接触操作が検出された場合、その接触操作時における指Ｆと表示面１４１との接触サイズを記憶部１５に記憶させる。配置関係特定部１１５は、オブジェクトを指示する接触操作のみに基づいて接触サイズを特定して蓄積させてもよいし、オブジェクトを指示するものでない接触操作も含めて、接触サイズを蓄積させてもよい。
【００５８】
また、配置関係特定部１１５は、近接操作で指示されたオブジェクトと、表示面１４１に表示された他のオブジェクトとの配置関係を特定する場合に、配置関係特定部１１５により蓄積された接触サイズに応じた参照範囲を設定する。配置関係特定部１１５は、参照範囲を異ならせること以外は、前述の第２実施形態と同じ機能を実現すればよい。
次に、表示装置１０の動作を説明する。
【００５９】
この実施形態の表示装置１０は、基本的には、図９に示す手順に従って上述した第２実施形態と同様に動作すればよい。ただし、表示装置１０は、ステップＳ８の処理では、記憶部１５に蓄積された接触サイズに応じた参照範囲を設定して、近接操作で指示されたオブジェクトと他のオブジェクトとの配置関係を特定する。図３（ｂ）に示した画面ＳＣ２を用いて説明すると、図１６（ａ）に示すように普段から接触サイズが大きくなるような接触操作が行われている場合、表示装置１０は、図１８（ａ）に示すように、半径が大きい参照範囲Ｔ１を用いて、この参照範囲Ｔ内に他のオブジェクトが配置されているか否かを判断する。ここでは、オブジェクトｂ３，ｂ４が参照範囲内に配置されているため、表示装置１０は上述した第２実施形態と同様に、近接操作で指示されたオブジェクトｂ２を拡大表示したｂ２Ｍを表示させる。表示装置１０は、例えば、記憶部１５に蓄積された接触サイズの平均値や中央値、接触サイズの最大値などの、接触サイズの統計結果に基づいて、接触サイズが大きくなるほど大きくなる参照範囲を用いるとよい。
【００６０】
一方で、図１６（ｂ）に示すように、普段から接触サイズが小さくなるような接触操作が行われている場合、表示装置１０は、図１８（ｂ）に示すように、半径が図１８（ａ）の場合よりも小さい参照範囲Ｔ２（＜Ｔ１）を用いて、この参照範囲Ｔ２内に他のオブジェクトが配置されているか否かを判断する。ここでは、参照範囲Ｔ１内に他のオブジェクトが配置されていないため、表示装置１０は近接操作で指示されたオブジェクトｂ２を拡大表示させない。このとき、ユーザは接触サイズが小さくなる接触操作を行っていると考えられる。よって、図１８（ｂ）に示すように、仮にオブジェクトのサイズが閾値以下であったり、周囲にオブジェクトが密集していたりしたとても、ユーザの誤操作は発生しにくいと考えられる。
【００６１】
なお、この実施形態における表示装置１０が接触サイズに応じて参照範囲を設定するための構成は、上述した第３実施形態にも適用可能である。また、表示装置１０は、接触サイズと参照範囲との対応関係を記憶していることにより、接触サイズをより多くの段階に分けてそれぞれ異なる参照範囲を設定してもよい。
また、表示装置１０は、接触サイズそのものを記憶部１５に蓄積させるのではなく、接触操作時の表示面１４１に対する指の傾きの大きさを検出できるのであれば、指の傾きの大きさを蓄積して、参照範囲の大きさに反映させてもよい。
【００６２】
［第５実施形態］
次に、本発明の第５実施形態を説明する。
この第５実施形態の表示装置１０は、上述した第１〜第４実施形態のいずれかの構成２加えて、オブジェクトの拡大の要否を表示画面に応じて異ならせる構成を有している。
この実施形態の表示装置１０のハードウェア構成は、上述した第１〜第４実施形態のいずれかと同じであるから、ここではその説明を省略する。以下の説明において、第１〜第４実施形態と同じハードウェア構成、機能構成及び処理ステップについては同一の符号を付して表し、その説明については適宜省略する。
【００６３】
図１９は、電子メールを作成するときに表示されるメール作成画面を表す図である。図１９（ａ）は、１０キーボードモード（以下、「テンキーモード」という。）で文字入力するときに表示されるメール作成画面ＳＣ３を表す。図１９（ｂ）は、ＱＷＥＲＴＹモードで文字入力するときに表示されるメール作成画面ＳＣ４を表す。テンキーモードとＱＷＥＲＴＹモードとのどちらで文字入力するかについて、表示装置１０は、ユーザによる操作部１２の操作によって指示されたモードに従う。
図１９（ａ）に示すように、テンキーモードの場合、操作領域Ｋ１には、テンキーキーボードを意味するソフトウェアキーボードが表示され、テンキーキーボードの各キーに対応したオブジェクトが配置されている。一方で、図１９（ｂ）に示すように、ＱＷＥＲＴＹモードの場合、操作領域Ｋ２には、キーがＱＷＥＲＴＹ配列されたＱＷＥＲＴＹキーボードを意味するソフトウェアキーボードが表示される。一般に、テンキーボードに比べてＱＷＥＲＴＹキーボードの方がキーの数が多く、表示面１４１においてもこれと同様のオブジェクトの数の関係になっている。よって、表示装置１０は、テンキーモード時よりもＱＷＥＲＴＹモード時の方が、より多くのオブジェクトを表示させることになり、この結果、各オブジェクトのサイズも小さくなる。このような理由から、テンキーモード時よりも、ＱＷＥＲＴＹモード時の方が、ユーザが目的外のオブジェクトを選択してしまう誤操作が発生しやすい。
【００６４】
そこで、表示装置１０は、図２０（ａ）に示すように、テンキーモードで文字入力される場合は（ここでは、「な」と記したオブジェクト）、オブジェクトのサイズが元から比較的多いので、オブジェクトを指示する近接操作を検出した場合であっても、オブジェクトを拡大表示させない。一方で、表示装置１０は、図２０（ｂ）に示すように、ＱＷＥＲＴＹモードで文字入力される場合は（ここでは、「４」と記したオブジェクト）、オブジェクトを指示する近接操作を検出した場合に、上述した第１〜第４実施形態のいずれかの方法を用いて、オブジェクトを拡大表示させる。これにより、表示装置１０は、電子メールの作成中において、ユーザの誤操作が発生しやすいことを示す文字入力モードの場合だけ、拡大表示させることができる。反対に、表示装置１０は、テンキーモードのときにはオブジェクトを拡大表示させないので、元の画面の内容を改変させなくて済む。
なお、表示装置１０は、メール作成画面以外の画面表示時（電話番号入力画面やその他の文字入力画面など）においても、画面に含まれるオブジェクトのサイズや数などの情報に応じて、その画面表示時におけるオブジェクトの拡大表示の要否を異ならせるようにしてもよい。
【００６５】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
上述した各実施形態において、表示装置１０は、表示面１４１の一部である特定領域に表示したオブジェクトのみを拡大表示の対象としてもよい。
図２１は、拡大表示の対象となる特定領域Ｔｓを説明する図である。
図２１（ａ）に示すように、斜線で示した特定領域Ｔｓは、表示面１４１のうち、四辺の端部を含む除外領域Ｔｅを除いた領域である。特定領域Ｔｓでは、例えば、或るオブジェクトに対して上下左右のすべて位置にオブジェクトが近接する可能性があり、ユーザの誤操作を比較的招きやすい領域といえる。一方で、除外領域Ｔｅでは、或るオブジェクトに対して上下左右のすべての位置にオブジェクトが近接することはなく、少なくともいずれか一方向にはオブジェクトが近接しない。例えば、除外領域Ｔｅに小サイズのオブジェクトが配置されても、少なくとも一方向は開放しているから、この方向から指が進入すれば誤操作は発生しにくい。この理由から、表示装置１０は、特定領域Ｔｓに表示したオブジェクトを拡大表示の対象とする一方で、除外領域Ｔｅに表示したオブジェクトを拡大表示の対象としない。
【００６６】
また、特定領域Ｔｓは、図２１（ｂ）に示す領域であってもよい。例えば、ユーザから見て奥方向の領域は、ユーザが比較的視認しやすい領域であり、この領域のオブジェクトを誤操作する可能性は比較的低いと考えられる。そこで、表示装置１０は、ユーザから見て奥方向に広がる一部領域を除外領域Ｔｅとし、それ以外の領域を特定領域Ｔｓとしてもよい。
表示装置１０は、これ以外の特定領域Ｔｓ及び除外領域Ｔｅを設定してもよく、例えば、特定領域Ｔｓ又は除外領域Ｔｅをユーザが手動設定してもよい。
【００６７】
（変形例２）
上述した第２〜第４実施形態の表示装置１０のように、オブジェクト同士の配置関係に基づいてオブジェクトの拡大表示の要否を判断する場合、表示装置１０は、ステップＳ２の処理、つまり、オブジェクトのサイズが閾値以上であるか否かの判断を行わないようにしてもよい。この構成の場合、表示装置１０は、例えば図３（ａ）に示す画面ＳＣ１の表示時のように、サイズが大きいオブジェクトについても、参照範囲を用いて他のオブジェクトとの配置関係と特定することになる。
このようにオブジェクトのサイズを特定しない構成であっても、表示装置１０は、参照範囲を用いて、近接操作で指示されたオブジェクトの近傍にある他のオブジェクトがあると判断して、オブジェクトの拡大表示の要否を判断する構成を有する。したがって、この表示装置１０によっても、誤って付近のオブジェクトに触れてしまうことによるユーザの誤操作の発生を抑えることができる。
【００６８】
（変形例３）
上述した各実施形態において、表示装置１０は、オブジェクトのサイズを面積によって特定していたが、別の方法でオブジェクトのサイズを特定してもよい。例えば、表示装置１０は、オブジェクトが正方形又は長方形であれば一辺の長さ（例えば、最大の長さ）や、対角線の長さなどの、所定方向の長さによってオブジェクトのサイズを特定してもよい。また、表示装置１０は、オブジェクトが円形であれば径方向の長さ（例えば、最大の長さ）でオブジェクトのサイズを特定してもよい。これ以外の形状であっても、表示装置１０は、面積でなく任意の方向の長さによってサイズを特定してもよい。また、表示装置１０は、面積と長さとによってオブジェクトのサイズを特定してもよい。
また、第４実施形態で説明した接触サイズについても、面積で特定される代わりに長さによって特定されてもよいし、面積と長さとによって特定されてもよい。
【００６９】
（変形例４）
上述した第２から第４実施形態において、表示装置１０は、参照範囲に含まれる他のオブジェクトの数が閾値以上（例えば３以上）であることを特定条件に含めてもよい。近接するオブジェクトの数が多いほど、ユーザの誤操作を招きやすいので、表示装置１０は、オブジェクトの数が少なく誤操作の可能性が低い場合には、オブジェクトの拡大表示をしなくてもよい。このように表示装置１０は、近接操作で指示されたオブジェクトの周辺における他のオブジェクトの密集度合いに応じて、拡大表示の要否を判断する。
また、上述した第３実施形態において、表示装置１０は、近接操作で指示されたオブジェクトの位置から、ユーザの指の移動方向以外のいずれかの方向にオブジェクトがあることを特定条件として、オブジェクトの拡大表示をしてもよい。また、表示装置１０は、複数の位置情報に基づいて特定した指の移動の軌跡から、将来における移動の軌跡を予測し、予測した軌跡上に位置するオブジェクトが近接操作で指示された場合に、これを拡大表示させてもよい。
【００７０】
（変形例５）
上述した各実施形態において、表示装置１０は、拡大表示後のサイズについてはどのように決めてもよい。例えば、表示装置１０は、他のオブジェクトと重ならない範囲でできる限り大きくしてもよいし、予め決められたサイズになるように拡大表示させてもよい。また、表示装置１０は、各方向に同じ倍率で拡大するのではなく、方向に応じて倍率を異ならせてもよい。
【００７１】
（変形例６）
上述した各実施形態において、表示装置１０は、オブジェクトのサイズのほか、形状に応じて拡大表示の要否を判断してもよい。例えば、正方形又は長方形であれば拡大表示の対象とせず、円形であれば拡大表示の対象としてもよい。
【００７２】
（変形例７）
上述した各実施形態において、表示装置１０は、近接操作で指示されたオブジェクトを拡大表示させ、接触操作で指示されたオブジェクトを選択オブジェクトとして特定していた。この接触操作に代えて、表示装置１０は、オブジェクトを拡大表示するための近接操作よりも更に指などの指示体をオブジェクトに近接させた、非接触の操作（第２操作）で指示されたオブジェクトを、選択オブジェクトとして特定してもよい。この場合、表示装置１０は、例えば、近接センサ１２１の検出可能領域のうち、表示面１４１からその法線方向に第１距離までの操作に応じて選択オブジェクトを特定すればよい。このように本発明の表示装置は、表示面１４１に指示体が接触した状態を検出する接触センサを備えていなくてもよい。
また、表示部１４の表示面１４１に表示されるオブジェクトを含む画像（画面）はどのような画面であってもよい。
【００７３】
（変形例８）
上述した各実施形態において、表示装置１０は、接触操作を検出するセンサと近接操作を検出するセンサとを別個に備えていたが、接触操作と近接操作を単一のセンサによって検出する構成であってもよい。
また、本発明のユーザインタフェース装置は、少なくとも、オブジェクトを表示してから選択オブジェクトを特定するまでの処理を行うものであればよく、選択オブジェクトに応じた処理を行う処理装置とは独立して構成された装置であってもよい。
【００７４】
（変形例９）
上述した各実施形態において、表示装置１０の制御部１１が実現する各機能は、複数のプログラムの組み合わせによって実現され、又は、複数のハードウェア資源の協働によって実現されうる。
また、本発明のユーザインタフェース装置は、コンピュータや制御部１１が実行するプログラムやユーザインタフェース方法として把握することも可能である。
【符号の説明】
【００７５】
１０…表示装置、１１…制御部、１１１…操作検出部、１１２…表示制御部、１１３…選択オブジェクト特定部、１１４…処理実行部、１１５…配置関係特定部、１１６…軌跡特定部、１２…操作部、１２１…近接センサ、１２２…接触センサ、１３…通信部、１４…表示部、１４１…表示面、１５…記憶部。
【図１】
2014016948.tif 000003
【図２】
2014016948.tif 000004
【図３】
2014016948.tif 000005
【図４】
2014016948.tif 000006
【図５】
2014016948.tif 000007
【図６】
2014016948.tif 000008
【図７】
2014016948.tif 000009
【図８】
2014016948.tif 000010
【図９】
2014016948.tif 000011
【図１０】
2014016948.tif 000012
【図１１】
2014016948.tif 000013
【図１２】
2014016948.tif 000014
【図１３】
2014016948.tif 000015
【図１４】
2014016948.tif 000016
【図１５】
2014016948.tif 000017
【図１６】
2014016948.tif 000018
【図１７】
2014016948.tif 000019
【図１８】
2014016948.tif 000020
【図１９】
2014016948.tif 000021
【図２０】
2014016948.tif 000022
【図２１】
2014016948.tif 000023